【事件の表示】
　特許第３０３０６６３号「配線用床材」の請求項１に係る特許に対する特許異議の申立てについて、次のとおり決定する。
【結　論】
　訂正を認める。
　特許第３０３０６６３号の請求項１に係る特許を維持する。
【理　由】
１．手続の経緯
　本件特許第３０３０６６３号に係る出願は、平成３年４月９日の出願であって、平成１２年２月１０日に特許の設定登録がなされ、その後、江井浩孝から特許異議の申立がなされ、取消理由が通知され、その指定期間内である平成１３年２月５日に訂正請求がなされたものである。
　
２．訂正の要旨
　訂正事項ａ：特許請求の範囲を、下記のように訂正する。
【請求項１】　床面に敷設される配線用床材であって、長手方向に連続した配線ピットを有する断面角波形状に形成されるとともに、配線ピットの下面に、該配線ピットの側壁を延長させるように突設された支持足が、長手方向に沿って延びるように設けられ、該支持足の先端には弾性材が設けられることを特徴とする配線用床材。
　訂正事項ｂ：明細書の段落【０００８】を、下記のように訂正する。
【課題を解決するための手段】　本発明は、上記課題を解決するための手段として、「床面に敷設される配線用床材であって、長手方向に連続した配線ピットを有する断面角波形状に形成されるとともに、配線ピットの下面に、該配線ピットの側壁を延長させるように突設された支持足が、長手方向に沿って延びるように設けられ、該支持足の先端には弾性材が設けられることを特徴とする配線用床材」を、その要旨としている。
　
３．訂正の適否
（１）訂正の目的の適否、新規事項の有無及び拡張・変更の存否
　上記訂正事項ａに係る訂正は、特許請求の範囲の減縮を目的とするものであり、訂正事項ｂに係る訂正は、訂正事項ａに関連してなされた明りょうでない記載の釈明に該当し、いずれの訂正も、願書に添付した明細書又は図面に記載した事項の範囲内のものであり、さらに、実質上特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２項及び第３項の規定に適合するので、当該訂正を認める。
　  　
４．異議の申立てについての判断
（１）本件訂正後発明
　訂正明細書の請求項１に係る発明（以下、「訂正後発明」という。）は、訂正明細書の特許請求の範囲の請求項１に記載された以下のとおりのものである。
【請求項１】　床面に敷設される配線用床材であって、長手方向に連続した配線ピットを有する断面角波形状に形成されるとともに、配線ピットの下面に、該配線ピットの側壁を延長させるように突設された支持足が、長手方向に沿って延びるように設けられ、該支持足の先端には弾性材が設けられることを特徴とする配線用床材。
（２）申立ての理由の概要
　申立人江井浩孝は、「本願に係る請求項１は、本願出願前に公知であった甲第１号証〜甲第３号証に記載された技術と同一又は実質的に同一であり、新規性欠如により特許法第２９条の２の規定を満たしていません。甲第１号証、甲第２号証、甲第４号証〜甲第１２号証のうち、少なくともいずれか２つの技術に基づいて、単なる和又は寄せ集め、或は業界における設計的事項程度の技術レベルに過ぎず、極めて容易に想起、創作できたものであることが明らかであり、従いまして、・・・特許法第２９条の規定を満たしていません。本願は、請求項１記載において、明細書に記載不備があり、発明の特定が明確になっておらぶ、特許法第３６条の規定を満足していません。」、「本願は、甲第１号証〜甲第３号証、甲第１１号証と実質的同一又は同一であり、また、周知技術である甲第１号証〜甲第１１号証の少なくともいずれか２つに基づいて、当業者であれば極めて容易に想起することができること明白であり、また、本願明細書には、その権利範囲を曖昧にする記載不備が認められることも明らかであります。以上により、本願は、特許法２９条、同法２９条の２の規定に該当し、更に、同法第３６条の規定をも満たしておらず、同法第４９条の規定によって拒絶されるべきものであり、登録を受けるべきではないものであります。」と申し立てているが、これは、本件発明は、本件の出願日前の他の出願であって、その出願後に出願公開された、甲第３号証〔実願平２−３６１６４号（実開平３−１２６９４６号公報参照）の明細書及び図面〕に記載された考案と同一又は実質的に同一であるから、特許法第２９条の２の規定により、また、本件の出願前に公知であった甲第１号証〔実開昭６１−１６８２４２号公報〕、甲第２号証〔実願昭６３−１４９６１８号（実開平２−７１７３３号）のマイクロフィルム〕、甲第１１号証〔特開平２−２９２４５５号公報〕に記載された発明と同一又は実質的に同一であるから、特許法第２９条第１項第３号の規定により、同一でなくとも、甲第１号証、甲第２号証、甲第４号証〔実開昭５８−１５６９２９号公報〕、甲第５号証〔実願昭５７−５３８８４号（実開昭５８−１５６９３０号）のマイクロフィルム〕、甲第６号証〔実開昭６２−９５４１７号公報〕、甲第７号証〔実開昭６３−３７７４１号公報〕、甲第８号証〔実開昭６３−３７７４２号公報〕、甲第９号証〔実開昭５３−８１１６号公報〕、甲第１０号証〔実開昭５４−８０２１８号公報〕、甲第１１号証および甲第１２号証〔実公平３−２５９３号公報〕のうち、少なくともいずれか２つの技術に基づいて、当業者が容易に発明をすることができたものであるから、特許法第２９条第２項の規定により、さらに、本件特許明細書の請求の範囲及び詳細な説明の欄には、不明確な記載があるから特許法第３６条第４項または第５項の規定により、本件の特許を取り消すべきであると主張しているものと解される。
（３）特許法第３６条第４項または第５項に関して
（３−１）「〜配線ピットの下面に長手方向に沿って延びるように突設され、先端に弾性材を設けた支持足を備える〜」について
　平成１３年２月５日付け訂正請求によって訂正され、明確となった。
（３−２）「〜断面角波形状〜」について
　平成１３年２月５日付け訂正請求によって訂正され、断面角波形状は、図１，図５の様な形態を示唆、想起することが明確となったし、配線ピットが断面角波形状に形成されることと、配線ピットの下面に、該配線ピットの側壁を延長させるように突設された支持足が、長手方向に沿って延びるように設けられ、該支持足の先端には弾性材が設けられることとが相まって、明細書記載の作用効果を奏するものと解される。
（３−３）「先端に弾性体を一体に設けた支持足」について
　明細書全体の記載からみて、上記【発明の効果】における記載は、「一体的に設けた」と解すのが妥当であり、不明瞭とはいえない。
（４）特許法第２９条の２に関して
　甲第３号証には、明細書（以下、「先願明細書」という。）の実用新案登録請求の範囲、第１頁第１６〜２０行、第４頁第４〜１２行及び第１図の記載からみて、床盤に敷設される配線用スペースを形成する補助床部材であって、方形状の床板の下面に床板の長さ方向に複数の脚片を垂設すると共に、脚片の下面に不陸を吸収する弾性材から成る緩衝片を設けた補助床部材（以下、「先願考案」という。）が記載されている。
　訂正後発明と先願考案とを対比すると、先願考案も訂正後発明と同様に、長手方向に連続した配線スペースを有し、支持足の先端に弾性材を設けて床面の不陸を吸収する配線用床材ではあるが、断面角波形状に形成されておらず、また、支持足は、配線ピットの側壁を延長させるように突設されても、長手方向に沿って延びてもいないから、先願明細書に記載された先願考案は、訂正後発明と同一とも実質的に同一ともいえない。
（５）特許法第２９条第１項第３号及び特許法第２９条第２項に関して
（５−１）甲各号証記載の発明
　甲第１号証には、実用新案登録請求の範囲、図面の簡単な説明及び第１，２，５図の記載を参照すると、「下面に複数の垂直脚部を有する水平板よりなる横断面櫛歯状の台部材からなり、垂直脚部は長手方向に沿って延びるように設けられ、該垂直脚部の先端には弾性板が設けられていて床面上に敷設される、配線配管用床材」が記載されている。
　甲第２号証には、実用新案登録請求の範囲、図面の簡単な説明及び第３，４，６図の記載を参照すると、「天板部と天板部の対向する二辺から垂設された脚板部とを有する部材を天板部が平面となるように多数集合し、隣接する各部材の脚板部下端を曲げ弾性を有する接合具によって相互に連結し、コンクリートスラブ上に敷設される、フレキシブル床下地材」が記載されている。
　甲第４号証には、実用新案登録請求の範囲、図面の簡単な説明及び第１，４図の記載を参照すると、「四隅に脚部を有する切離された矩形または正方形の小パネル片が連接されて集合体を形成し、脚部の先端には軟質材層が設けられている床パネル」が記載されている。
　甲第５号証には、実用新案登録請求の範囲、第３頁第１０〜１４行、第４頁第１〜５行及び第３〜５図の記載を参照すると、「矩形または正方形の繰返し単位と繰返し単位の四隅に設けられ、先端には軟質材層を設けた脚部と、繰返し単位を結合する連接部とからなる床パネル基体を床下地上に配置し、脚部と繰返し単位とによる空間に配線コードを収納する床パネル」が記載されている。
　甲第６号証には、実用新案登録請求の範囲、図面の簡単な説明及び第１，２図の記載を参照すると、「上面は平坦で、裏面には互いに平行な多数の支持リブが付設された長方形の板体からなり、スラブ上に緩衝シートを介して配される配線用床下地」が記載されている。
　甲第７号証には、実用新案登録請求の範囲、図面の簡単な説明及び第１，２図の記載を参照すると、「先端に軟質材層を有した脚部を四隅に有する切離された矩形または正方形の小パネル片を連設して単位の集合体を形成する床パネル」が記載されている。
　甲第８号証には、実用新案登録請求の範囲、図面の簡単な説明及び第１，４図の記載を参照すると、「四隅に脚部を有する矩形または正方形の小パネル片が連接されて単位の床パネル基体を形成し、脚部の先端には軟質材層が設けられている床パネル」が記載されている。
　甲第９号証には、実用新案登録請求の範囲に「合成樹脂製のデッキ材本体の両側部に下方に向けて支持脚を突設すると共にデッキ材本体の上面部に下方に向けて凹曲した凹曲溝部を設け、この凹曲溝部の底面片を根太固定片とし、根太固定片の上面に孔あけ用の位置決め用小凹所を設けて成るデッキ材。」と記載されている。
　甲第１０号証には、実用新案登録請求の範囲、図面の簡単な説明及び第１図の記載を参照すると、「表面板と、垂下する両側壁と、側壁に平行な上方開口の凹溝が形成された長尺板状本体からなる並設用板状体」が記載されている。
　甲第１１号証には、特許請求の範囲、第２頁左下欄第１７〜２０行、第３頁左下欄第１〜８行及び第１〜４図の記載を参照すると、「平坦な上面を有し、１つの方向に長く形成された複数の上面部と、該上面部の長手方向の両側部に連接された脚部と、該脚部の下部に連設され、隣接する前記脚部を連結する複数の下面部とを有し、隣接する脚部とこれらの脚部を連結する上面部により、また、隣接する脚部およびこれらの脚部を連結する下面部により長手方向に連続した配線材が挿通される上側溝および下側溝が形成されている、床面に敷設されるフロアパネル」が記載されている。
　甲第１２号証には、第１頁第２欄第６〜９行、第２頁第３欄第３８〜４２行及び第４図の記載を参照すると、「幅方向の所定箇所に凹入溝を備え、凹入溝の溝壁部分が脚部として作用する、施工箇所の起伏に容易に沿わせて施工できるデッキ材」が記載されている。
（５−２）対比・判断　
　訂正後発明と、甲第１，２号証に記載された発明とを比較すると、甲第２号証に記載された発明は配線用床材ではない上、いずれの床材も長手方向に連続した配線ピットを有する断面角波形状に形成されていない。また、訂正後発明と、甲第１１号証に記載された発明とを比較すると、甲第１１号証に記載された発明の「平坦な上面を有し、１つの方向に長く形成された複数の上面部と、該上面部の長手方向の両側部に連接された脚部と、該脚部の下部に連設され、隣接する前記脚部を連結する複数の下面部とを有し」、「配線材が挿通される上側溝および下側溝」及び「フロアパネル」は、それぞれの機能に照らし、各々、訂正後発明の「断面角波形状」、「配線ピット」及び「配線用床材」に相当するから、両者は、床面に敷設される配線用床材であって、長手方向に連続した配線ピットを有する断面角波形状に形成されている配線用床材の点で一致し、下記の点で相違している。
ａ．訂正後発明では、配線ピットの下面に、該配線ピットの側壁を延長させるように突設された支持足が、長手方向に沿って延びるように設けられ、該支持足の先端には弾性材が設けられるのに対し、甲第１１号証に記載された発明では、そのような構成を有していない点。
　したがって、訂正後発明は、上記甲第１号証、甲第２号証または甲第１１号証に記載されたいずれの発明とも同一又は実質的に同一であるとはいえない。
　次に、上記した訂正後発明と甲第１１号証に記載された発明との相違点ａについて検討すると、上記甲第９，１０，１２号証には、断面角波形状の床材が記載されているが、いずれも配線用床材ではないから「配線用ピット」がなく、したがって、「配線ピットの下面に、該配線ピットの側壁を延長させるように突設された支持足」も、さらに「該支持足の先端には弾性材が設けられる」という構成もない。また、甲第１，２，６号証には、壁状支持足の先端に弾性材が設けられているだけであり、さらに、甲第４，５，７，８号証にも、上記相違点ａにおける訂正後発明に係る事項は記載されておらず、示唆するところもなく、かつ周知技術でもない。そして、訂正後発明は、当該事項によって明細書記載の作用効果を奏するものであるから、甲第１、２、４〜１２号証のうち、少なくともいずれか２つの技術に基づいて、当業者が容易に発明をすることができたものであるともいえない。
　
５．むすび
　以上のとおりであるから、異議申立ての理由及び証拠によっては、本件訂正後発明に係る特許を取り消すことはできない。
　また、他に本件訂正後発明に係る特許を取り消すべき理由を発見しない。
　よって、結論のとおり決定する。
【異議決定日】
平成１３年３月１２日（２００１．３．１２）
【訂正の要旨】
訂正の要旨
　特許第３０３０６６３号の明細書を、特許請求の範囲の減縮を目的として訂正事項ａのように、また、訂正事項ａに関連してなされた明りょうでない記載の釈明を目的として訂正事項ｂのように訂正する。
　訂正事項ａ：特許請求の範囲の請求項１の記載を、次のように訂正する。
　床面に敷設される配線用床材であって、長手方向に連続した配線ピットを有する断面角波形状に形成されるとともに、配線ピットの下面に、該配線ピットの側壁を延長させるように突設された支持足が、長手方向に沿って延びるように設けられ、該支持足の先端には弾性材が設けられることを特徴とする配線用床材。
　訂正事項ｂ：明細書の段落【０００８】を、次のように訂正する。
　【課題を解決するための手段】　本発明は、上記課題を解決するための手段として、「床面に敷設される配線用床材であって、長手方向に連続した配線ピットを有する断面角波形状に形成されるとともに、配線ピットの下面に、該配線ピットの側壁を延長させるように突設された支持足が、長手方向に沿って延びるように設けられ、該支持足の先端には弾性材が設けられることを特徴とする配線用床材」を、その要旨としている。
（５４）【発明の名称】
配線用床材
（５７）【特許請求の範囲】
　【請求項１】　床面に敷設される配線用床材であって、長手方向に連続した配線ピットを有する断面角波形状に形成されるとともに、配線ピットの下面に、
該配線ピットの側壁を延長させるように突設された支持足が、長手方向に沿って延びるように設けられ、該支持足の先端には弾性材が設けられることを
【発明の詳細な説明】
　【０００１】
　【産業上の利用分野】
　本発明は、床面に敷設され、ＯＡ機器等の電源コードや通信ケーブル等の床下配線に使用される配線用床材に関する。
　【０００２】
　【従来の技術】
　従来、床面に敷設される配線用床材１００は、図８に示すように、碁盤目状の配線ピット１０１を有する方形板状に形成されたものが知られており、これらを隣接させた状態で多数床面に敷きつめることにより、床配線構造が形成されていた。
　【０００３】
　しかしながら、このような配線用床材を敷きつめる床面が打ちっぱなしのコンクリート面であるような場合には、床面に多数の小石や、ゴミその他の塵等が落ちており、そのまま配線用床材を敷設すれば床面のところどころで配線用床材が浮き上がり、がたつきや歩行時のきしみ音を発生させる原因となる。
　【０００４】
　そこで、配線用床材を床面に敷設するにあたっては、床面上の小石等を取りはらってきれにし、その後に配線用床材を敷設しなければならなかった。
　【０００５】
　これに対し、配線用床材の配線ピットの下面を薄肉シート状にして、床面の小石を吸収してがたつきを防止できるように工夫されたものも提案されている（特開昭６２−２８４８５４号）。
　【０００６】
　【発明が解決しようとする課題】
　しかしながら、配線ピットの下面を薄肉シート状に形成した配線用床材であっても、床面に敷設した場合には、面で当接し、床面に落ちている全ての小石を吸収して敷設されるものとなり、がたつきの防止には不十分であり、がたつきを生じさせないように敷設することは困難であった。そのため、床面の清掃が必要であった。
　【０００７】
　本発明はこのような事情に鑑みなされたものであり、床面に敷設するにあたって、床面に落ちている多数の小石等によるがたつきや、歩行時のきしみ音の発生を防止して、コンクリート打ちっぱなしの床面に対してもそのまま敷設することができて、敷設作業を効率よく行うことができる配線用床材を提供しようとするものである。
　【０００８】
　【課題を解決するための手段】
　本発明は、上記課題を解決するための手段として、「床面に敷設される配線用床材であって、長手方向に連続した配線ピットを有する断面角波形状に形成されるとともに、配線ピットの下面に、
該配線ピットの側壁を延長させるように突設された支持足が、長手方向に沿って延びるように設けられ、該支持足の先端には弾性材が設けられることを
　【０００９】
　【作用】
　本発明に係る配線用床材にあっては、配線用床材を敷設する床面に対して、配線ピットの下面に長手方向に沿って延びるように突設された支持足で当接するため、床面に落ちている小石をさけて敷設することができるようになっている。また、支持足は先端に弾性材を一体に設けているため、支持足の当接部分に小石があってもこれを吸収して接地し、がたつかせることなく配線用床材を床面に敷設することができるようになっている。又、配線用床材全体が長手方向に配線ピットを有する断面角波形状に形成されているため、床面の不陸に対しても柔軟に対応して床面になじむように敷設することができるようになっている。これにより、コンクリート打ちっぱなしの床面に対しても、そのまま敷設作業を進めることができる。
　【００１０】
　【実施例】
　以下、図面に示す実施例にしたがって本発明を具体的に説明する。図１、図２は本発明に係る配線用床材１の一実施例を示し、この配線用床材１は、断面角波形状に形成され、長手方向に連続して配線ピット１１が形成されている。この配線用床材１は、アルミ等の金属又は合成樹脂の押出成形により連続的に作製することができて、射出成形に比べて低コストに作製することが可能である。またアルミ製の場合には軽量で持ち運びが容易であり、金属製であれば不燃であるため安全である。又、金属であれば配線ピット１１内に収納される配線の電気的な障害をシールドすることができる。
　【００１１】
　なお、角波形状は、図１に示す形態の他、図５に示すように配線ピット１１の上面が一部おおわれて、長手方向にスリット１１ａを有した形態であってもよい。又、配線ピット１１には仕切壁を設けたものであってもよい。又、配線用床材１は、配線ピット１１を多数備えたものに限らない。少なくとも一以上の配線ピット１１を有するものであればよい。
　【００１２】
　図２に示すように、配線用床材１の配線ピット１１の下面には、配線ピット１１の側壁を延長させるように下方に突出し、長手方向に沿って支持足１２が形成されている。この支持足１２は、押出成形による配線用床材１の作製と同時に形成することができる。なお、長手方向に沿って延びるように突設された支持足１２としては、例えば図６に示すように、中間にスリット１４を設けたものであってもよい。
　【００１３】
　図２に示すように、支持足１２の先端には、ゴム等の弾性材１３が一体に固着されている。この弾性材１３は、例えば図３に示すように、液状の弾性材料Ａ上で回転するロールコーター１５に配線用床材１の支持足１２を送り込んで、弾性材料Ａを付着させることにより形成することができる。これにより支持足１２の先端に弾性材１３を一体に形成した配線用床材１を簡単かつ連続的に作製することができる。なお、弾性材１３は別体で作製され、支持足１２にはめ込んで取り付けるようにしてもよい。又、弾性材１３は軟質、硬質のゴムの他、発泡樹脂等による発泡させた材料で作製されたものであってもよい。
　【００１４】
　さて、このような配線用床材１を床面に敷設した場合には、図４に示すように、床面Ｆに小石２０等が落ちていても、これをさけて敷設することができる。又、床面Ｆの凹凸に対しても支持足１２の先端に一体に形成された弾性材１３により、これを吸収することができる。従って、配線用床材１を不陸のある床面に対してがたつきや傾きがなく敷設することができる。そして、配線用床材１上には配線ピット１１の開口部を鋼板等で蓋をし、さらにその上にカーペット、Ｐタイル等の仕上材を載置固定することで歩行時のきしみ音の発生を防止できる床配線構造を提供することができる。なお、配線ピット１１の開口部には、鋼板等で蓋をしたときに上面が面一となるように、蓋落し込み用の段部を設けるとよい。
　【００１５】
　なお、断面角波形状の配線用床材１にあっては、長手方向と直交する方向については上下にしなりやすく床面の不陸に順応しやすいが、長手方向に対しては不陸に順応しにくい。そこで、図６及び図７に示すように、所定間隔でスリット１４を設けることにより、長手方向に対しても床面の不陸に順応しやすい形態とすることができる。本発明にあっては、このような配線用床材１であってもよい。
　【００１６】
　【発明の効果】
　以上のように、本発明に係る配線用床材は、長手方向に連続した配線ピットを有する断面角波形状に形成されるとともに、配線ピットの下面に長手方向に連続して形成され、先端に弾性材を一体に設けた支持足を備えたことにより、床面に落ちている小石をさけて、あるいは凹凸を吸収して敷設することができる。
　【００１７】
　従って、コンクリート打ちっぱなしの床面であっても清掃したり、モルタル仕上げしなくてもそのまま敷設作業をすすめることができて作業の効率化を図ることができ、敷設後にもがたつきや歩行時のきしみ音の発生を防止することができる。
【図面の簡単な説明】
　【図１】本発明に係る配線用床材の一実施例を示す斜視図である。
　【図２】図１に示す配線用床材の支持足部分を示す拡大正面図である。
　【図３】支持足先端への弾性材の形成の一例を示す側面図である。
　【図４】図１に示す配線用床材を床面に敷設した状態を示す断面図である。
　【図５】本発明に係る配線用床材の他の実施例を示す正面図である。
　【図６】本発明に係る配線用床材の他の実施例を示す斜視図である。
　【図７】本発明に係る配線用床材の他の実施例を示す斜視図である。
　【図８】従来の配線用床材を示す斜視図である。
　【符号の説明】
　１　配線用床材
　１１　配線ピット
　１２　支持足
　１３　弾性材